(57)【要約】【課題】一台の入力装置に複数の映像伝送ケーブルが装着され、その映像伝送ケーブルの同期信号や高速の映像信号により酷くなる不要輻射の放射を低減し安定させる事を可能にした不要輻射低減装置を提供すること。【解決手段】高速映像信号を伝送するケーブルと前記ケーブルが複数接続される入力機器と前記ケーブルが接続される複数台の出力機器と前記出力機器の高速映像信号は伝送ケーブルを介して入力機器に伝送可能であり、また、入力機器の記憶部に記憶された映像信号の解像度情報の変更を前記伝送ケーブルで伝送される情報で認識する事が可能である。また、前記入力機器は複数の高速映像信号を伝送するケーブルの入力を選択可能で、前記複数入力される高速映像信号で使用しない入力の解像度情報を変更可能とした装置。【選択図】図１
2020031284.tif 000002
【特許請求の範囲】
【請求項１】
複数の高速映像信号を伝送するケーブルと前記ケーブルが複数接続される一台の入力機器と前記複数ケーブルが接続される一台ないし複数台の出力機器と、前記出力機器の高速映像信号は伝送ケーブルを介して入力機器に伝送可能であり、また、入力機器の記憶部に記憶された映像信号の解像度情報の変更を前記伝送ケーブルで伝送される情報で認識する事が可能である。また、前記入力機器は複数の高速映像信号を伝送するケーブルの入力を選択可能で、前記複数入力される高速映像信号で使用しない入力の解像度情報を変更可能とした装置。
【請求項２】
複数の高速映像信号を伝送するケーブルと前記ケーブルが複数接続される一台の入力機器と前記複数ケーブルが接続される一台ないし複数台の出力機器と、前記出力機器の高速映像信号は伝送ケーブルを介して入力機器に伝送可能であり、また、入力機器の記憶部に記憶された映像信号の解像度情報の変更を前記伝送ケーブルで伝送される情報で認識する事が可能である。また、前記入力機器は複数の高速映像信号を伝送するケーブルの入力を選択可能で、前記複数入力される高速映像信号で使用しない入力の解像度情報を前記伝送ケーブルの長さを考慮し変更する事を目的とした装置。
【請求項３】
複数の高速映像信号を伝送するケーブルと前記ケーブルが複数接続される一台の入力機器と前記複数ケーブルが接続される一台ないし複数台の出力機器と、前記出力機器の高速映像信号は伝送ケーブルを介して入力機器に伝送可能であり、また、入力機器の記憶部に記憶された映像信号の解像度情報の変更を前記伝送ケーブルで伝送される情報で認識する事が可能である。また、前記入力機器は複数の高速映像信号を伝送するケーブルの入力を選択可能で、前記複数入力される高速映像信号で使用しない入力の接続情報を意図して接続されていないと出力機器に伝送する事を可能とした装置。
【発明の詳細な説明】
【技術分野】
【０００１】
本発明は、不要輻射低減に関し、特に高速信号を伝送する電気回路や駆動制御に関する。
【背景技術】
【０００２】
従来、投影装置やＰＣ用のモニタへの画像出力はＤ−ｓｕｂコネクタで送られるアナログ信号を伝送するのみであった。
【０００３】
しかし、近年ユーザから高解像度の要求により高速のデジタル信号を伝送する新しいデジタル信号の伝送方式とコネクタの規格が発案された。その代表的な例はデジタル信号を伝送するＤＶＩ（Ｄｉｇｉｔａｌ  Ｖｉｓｕａｌ  Ｉｎｔｅｒｆａｃｅ）やＨＤＭＩ（商標登録）（Ｈｉｇｈ−Ｄｅｆｉｎｉｔｉｏｎ  Ｍｕｌｔｉｍｅｄｉａ  Ｉｎｔｅｒｆａｃｅ）である。その伝送には、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式の高速な作動信号が使用される。
【０００４】
この信号の伝送には専用の映像伝送ケーブルが使用される。さらに、出力機器であるＰＣや映像プレイヤーなどが低価格化や多様化し一台の投影装置やＰＣ用モニタに対して複数の機器の映像伝送ケーブルが接続される。また、出力機の高精細化に伴い高速信号を伝送する方式の規格以上の高精細データを送るため複数の映像伝送ケーブルが一台の投影装置やＰＣ用モニタに接続されるようになってきた。また、近年は技術の進歩により、より高精細な画像を伝送するため非常に高速な動作同期信号が用いられるようになっている。
【０００５】
以上のような状況で複数のＤＶＩケーブルを例に発生する問題の現象を示す。一台の投射装置にＤＶＩの入力ＩＦが４つ存在するとする。そこに、４台のＰＣから同一の解像度の映像が入力されている。この映像は、高精細であり（例えば１９２０Ｘ１２００ドット同期信号は１５４Ｍｈｚ）ＤＶＩ規格上限の同期信号で動作している。そうなると、ＤＶＩケーブルは同期信号に対して相対的にインピーダンスが高い状態となり、ＤＶＩケーブル内を通過する同期信号のエネルギーの一部は電磁ノイズとなりケーブルの金属線をアンテナにして空間に不要輻射として放射される。つまり、ＤＶＩケーブルがアンテナとなってしまう。
【０００６】
不要輻射が放射されると投射装置やＰＣに影響を与えて、画面をちらつかせるノイズを発生させたり、放射が大きいと周辺の電気製品に影響を与えて誤作動をさせたりする。
この様な状況のＤＶＩケーブルが、一本であれば問題とならないが、一本目の放射を１０ｄＢとして理論上一本追加されると１６ｄＢ放射が強化され、３本追加では１９．５ｄＢの放射が強化されてしまう。
【０００７】
また、一本のケーブルではケーブル間の干渉は発生しないが、４本のケーブルとなるとケーブルからの電磁ノイズが互いに干渉し、ケーブルの配置により通常の数倍のアンテナ効果を発揮する事象が起きて理論値以上の放射の増加が起きる事がる。
【０００８】
以上により、ＤＶＩの入力インターフェースを増やすことで増加した不要輻射の対策で時間とコストが問題になる事がある。
【０００９】
特許文献１には、回路内部のデジタル信号とアナログ信号の混在で互いに影響を与えない様、片方の回路が動作している時は片方の回路を停止する方法が開示されている。特許文献２には、装着されたケーブルがどのような種類のものかを表示する制御や表示方法が開示されている。
【先行技術文献】
【特許文献】
【００１０】
【特許文献１】特開平７−２９６５０３号公報
【特許文献２】特許第４８２１１８２４号公報
【発明の概要】
【発明が解決しようとする課題】
【００１１】
しかしながら、上記の特許文献１に開示された従来技術では、使用していない内部回路の処理を止めるだけでケーブルにより増加した不要輻射に対応する事が出来ない。特許文献２に開示された従来技術の応用では、不要輻射が酷くなる警告は可能であるが根本的に不要輻射が酷くなる現象は解決出来ない。
【００１２】
そこで、本発明の目的は、一台の入力装置に複数の映像伝送ケーブルが装着され、その映像伝送ケーブルの同期信号や高速の映像信号により酷くなる不要輻射の放射を低減し安定させる事を可能にした不要輻射低減装置を提供することにある。
【課題を解決するための手段】
【００１３】
上記の目的を達成するために、本発明に係る不要輻射低減装置は、
複数の高速映像信号を伝送するケーブルと前記複数のケーブルが接続される一台の入力機器と前記複数ケーブルが接続される一台ないし複数台の出力機器と、前記出力機器は高速映像信号を伝送ケーブルを介して入力機器に伝送可能であり、また、入力機器の記憶部に記憶された映像信号の解像度情報の変更を前記伝送ケーブルで伝送される情報で認識する事が可能である。また、前記入力機器は複数の高速映像信号を伝送するケーブルの入力を選択可能で、前記複数入力される高速映像信号で使用しない入力の解像度情報を変更可能とした装置を特徴とする。
【発明の効果】
【００１４】
本発明によれば、投射装置やＰＣモニタ等の入力機器に画像信号を送る高速デジタル信号を伝送する複数本の映像伝送ケーブルと出力機器の関係で生じる不要輻射が酷くなることを防ぐことができる。特に、出力機器と入力機器と接続する複数本の映像伝送ケーブを接続する事で起きるケーブル間の相互干渉を防ぎケーブルからの不要輻射を安価に低減する不要輻射対策装置を提供することができる。
【図面の簡単な説明】
【００１５】
【図１】本発明の不要輻射対策装置を内蔵する投射装置の構成ブロック図である。
【図２】本発明の不要輻射対策装置の動作フローチャートである。
【図３】第二実施例の不要輻射対策装置を内蔵する投射装置の構成ブロック図である。
【図４】第二実施例の不要輻射対策装置の動作フローチャートである。
【発明を実施するための形態】
【００１６】
以下に、本発明の好ましい実施の形態を、添付の図面に基づいて詳細に説明する。図１は、本発明の実施形態にかかわる不要輻射低減装置である。
【実施例１】
【００１７】
以下、図１を参照して、本発明の第１の実施例による不要輻射低減装置について説明する。
【００１８】
図１に示す投射装置は高圧水銀ランプを光源に持ち、その光は映像パネルを介する事で様々な映像を図示していないスクリーンに映す出す事が出来る。映し出される画像は、画像の出力装置から入力される。画像出力装置とはＰＣや映像ディスクプレーヤなどで、入力される画像はデジタル信号のＤＶＩやＨＤＭＩまたアナログ信号のＮＴＳＣなど多種多様である。
【００１９】
以下に各要素について説明する。図１は本発明の投射装置のブロック図である。
【００２０】
１は本発明の不要輻射低減装置を内包した投射装置の概略ブロック図であり、不要輻射放射を低減させる事を可能にした事を特徴としている。また、高速の映像入力信号ができる４個の入力コネクタを持ち、そのうち一つを選択して画像を投射する事が可能である。
【００２１】
２ａ、２ｂ、２ｃ、２ｄは、画像出力装置のＰＣであり、様々な映像を出力する画像出力装置ＩＣ３ａ、３ｂ、３ｃ、３ｄを２ａ、２ｂ、２ｃ、２ｄ各ＰＣに個々に搭載している。各２ａ、２ｂ、２ｃ、２ｄのＰＣの画像出力はＤＶＩケーブル４ａ、４ｂ、４ｃ、４ｄを通じて高速の同期信を含む画像信号を伝送する事が可能である。
【００２２】
５は入力信号制御ＩＣでありＣＰＵ９の命令により６ａ、６ｂ、６ｃ、６ｄの入力コネクタから入力された画像信号を切り替えて画像処理ＩＣ７に選択された信号を送る事が出来る。また、様々な解像度情報が記録されている記録ＩＣ８はＣＰＵ９に接続されておりその情報はＣＰＵ９によりさまざまな条件により読みだされ使用される。
【００２３】
ＣＰＵ９は入力信号制御ＩＣ５を制御し、各画像出力装置のＰＣである２ａ、２ｂ、２ｃ、２ｄ、に内蔵された３ａ、３ｂ、３ｃ、３ｄの画像出力装置ＩＣから出力される画像の解像度を変更可能である。
【００２４】
１０は高圧水銀ランプで光をプリズム装置１１に向けて送る。１１はプリズム装置であり高圧水銀ランプ１０からの光を三原色である赤、青、緑に分解し、それぞれ赤色用映像パネル１２、青色用映像パネル１３、緑色用映像パネル１４に送る。プリズム装置１１は、前記、各色用映像パネルからの反射光を合成しレンズ１５に送る。
【００２５】
レンズ１５はプリズムユニット１１から送られた光を投射装置１より、図示していない投射目標のスクリーンに投射する。各色の液晶パネルの映像を投射するためには高圧水銀ランプ１０を発光させる必要があり、そのためにバラスト装置１６は外部電源入力１７から電源を供給してもらいランプ１０を点灯させるための高電圧を作り出す。
【００２６】
画像処理ＩＣ７で処理された映像信号は、赤色用映像パネル１２と青色用映像パネル１３と緑色用映像パネル１４に適正な解像度と映像に変換されたのちパネルドライバ１８に送られる。送られた信号はパネルドライバ１８により、赤色用映像パネル１２や緑色用映像パネル１３と青色用映像パネル１４を駆動させる。
【００２７】
次に、本発明である不要輻射低減装置の動作を説明する。
【００２８】
投射装置１に対して画像出力装置の各ＰＣの２ａ、２ｂ、２ｃ、２ｄから各ＤＶＩケーブル４ａ、４ｂ、４ｃ、４ｄを通じて高速の同期信を含む画像信号が伝送される。しかし、４入力された高速の同期信を含む画像信号だが、使用するのはそのうちの一つだけである。その上、各、画像出力装置のＰＣである２ａ、２ｂ、２ｃ、２ｄ、に内蔵された３ａ、３ｂ、３ｃ、３ｄの画像出力装置ＩＣから出力は、各ＤＶＩケーブル４ａ、４ｂ、４ｃ、４ｄを通じて高速の同期信号を含む画像信号を投射装置１に向けて送り続けられている。そして、通常は投射装置１の入力信号制御ＩＣ５は、投射装置１内の赤色用映像パネル１２や緑色用映像パネル１３と青色用映像パネル１４の性能が最大限発揮される同じ解像度を全ての入力に要求する。しかし、それでは高速の同期信号どうしが干渉を起し不要輻射の増加を招いてしまう。
【００２９】
そこで、ＣＰＵ９は入力信号制御ＩＣ５から各コネクタに入力されている解像度の情報を取得する。そして、接続されている記録ＩＣ８の情報の中から、不要輻射に影響の無い解像度情報を選び投影を行わない入力に対して入力信号制御ＩＣ５を制御して各画像出力装置のＰＣである２ａ、２ｂ、２ｃ、２ｄ、に内蔵された３ａ、３ｂ、３ｃ、３ｄの画像出力装置ＩＣからの出力を変更する。例えば、投影に使用する入力コネクタ６ａからの入力が２０１８Ｘ１２００ドット（同期信号は１６３．５Ｍｈｚ）なら、入力信号制御ＩＣ５は入力コネクタ６ｂに接続されるＤＶＩケーブル４ｂを介して画像出力装置のＰＣ２ｂに内蔵されている画像出力ＩＣ３ｂの解像度を６４０Ｘ４８０ドット（同期信号は２５．１７Ｍｈｚ）とする。
【００３０】
同様に入力信号制御ＩＣ５は入力コネクタ６ｃに接続されるＤＶＩケーブル４ｃを介して画像出力装置のＰＣ２ｃに内蔵されている画像出力ＩＣ３ｃの解像度を８００Ｘ６００ドット（同期信号は４０Ｍｈｚ）とする。さらに、入力信号制御ＩＣ５は入力コネクタ６ｄに接続されるＤＶＩケーブル４ｄを介して画像出力装置のＰＣ２ｄに内蔵されている画像出力ＩＣ３ｄの解像度を１０２４Ｘ７６８ドット（同期信号は６５Ｍｈｚ）とする。
【００３１】
以上の様に、各入力コネクタ６ａ、６ｂ、６ｃ、６ｄに対して、使用する入力以外の解像度を低く抑えさらに、同期信号の周波数が他の入力と重ならない様にして周波数逓倍に各同期信号の周波数が重ならない様にする事で不要輻射が酷くなることを抑える。また、解像度を低く抑えるのは、ＤＶＩケーブル４ａ、４ｂ、４ｃ、４ｄが通常使用される１．５ｍから１．８ｍであるため、アンテナ効果が最大になる同期信号の動作周波数の１／４波長を考慮して共振現象を起こさない様にするためである。例えば６５Ｍｈｚでも１／４波長は１．１５ｍである。
【００３２】
以上、本発明の好ましい実施形態について説明したが、変更する同期信号の周波数を高い周波数に変更しても不要輻射の低減効果が得られる場合もある。
【００３３】
図２は、本発明の動作を示すフローチャートである。
【００３４】
投射装置１は各、入力コネクタ６ａ、６ｂ、６ｃ、６ｄにＳ２０１で画像出力装置のＰＣである２ａ、２ｂ、２ｃ、２ｄ、に内蔵された３ａ、３ｂ、３ｃ、３ｄの画像出力装置ＩＣからの出力が各ＤＶＩケーブル４ａ、４ｂ、４ｃ、４ｄを通じ入力されている事を確認するとＳ２０２に移行する。
【００３５】
Ｓ２０２では入力コネクタに接続されているＤＶＩケーブルの数と４ａ、４ｂ、４ｃ、４ｄのどの入力かを判断し、また、入力されている解像度から同期信号の周波数を計測する。
【００３６】
そしてＳ２０３へ移行し入力された信号の中に同一の周波数があるかどうかを判断する。同一の周波数が無ければＳ２０４へ移行し高速の同期信号（３０Ｍｈｚ以下）かどうかを判断し低速なら処理を終了し高速ならＳ２０５へ移行する。また、同一の周波数があればＳ２０５へ移行する。
【００３７】
Ｓ２０５では、ＣＰＵ８により記録ＩＣ７の情報の中から、不要輻射に影響の無い解像度情報を選び投影に使用しないコネクタに接続された、画像出力装置のＰＣである２ａ、２ｂ、２ｃ、２ｄ、に内蔵された３ａ、３ｂ、３ｃ、３ｄの画像出力装置ＩＣに向けて、解像度の変更を行う。この時、投影に使用するコネクタに接続された画像出力装置のＰＣはそのままの状態で投射を続ける。
【００３８】
以上の動作で、ケーブル間の干渉による不要輻射の増加を防ぐ事が可能になる。
【実施例２】
【００３９】
以下、図３を参照して、本発明の第２の実施例による、不要輻射低減装置について説明する。
【００４０】
図１に示す投射装置は高圧水銀ランプを光源に持ち、その光は映像パネルを介する事で様々な映像を図示していないスクリーンに映す出す事が出来る。映し出される画像は、画像の出力装置から入力される。画像出力装置とはＰＣや映像ディスクプレーヤなどで、入力される画像はデジタル信号のＤＶＩやＨＤＭＩまたアナログ信号のＮＴＳＣなど多種多様である。
【００４１】
以下に各要素について説明する。図１は本発明の投射装置のブロック図である。
【００４２】
１は本発明の不要輻射対策装置を内包した投射装置の概略ブロック図であり、不要輻射放射を低減させる事を可能にした事を特徴としている。また、高速の映像入力信号ができる４つの入力コネクタを持ち、そのうち一つを選択して画像を投射する事が可能である。２ａ、２ｂ、２ｃ、２ｄは、画像出力装置のＰＣであり、様々な映像を出力する画像出力装置ＩＣ３ａ、３ｂ、３ｃ、３ｄを２ａ、２ｂ、２ｃ、２ｄ各ＰＣに個々に搭載している。各、２ａ、２ｂ、２ｃ、２ｄのＰＣの画像出力はＤＶＩケーブル４ａ、４ｂ、４ｃ、４ｄを通じて高速の同期信を含む画像信号を伝送する事が可能である。
【００４３】
５は入力信号制御ＩＣでありＣＰＵ９の命令により６ａ、６ｂ、６ｃ、６ｄの入力コネクタから入力された画像信号を切り替えて画像処理ＩＣ７に選択された信号を送る事が出来る。ケーブル長さセンサー１９は６ａ、６ｂ、６ｃ、６ｄの入力コネクタに接続されており、接続されるＤＶＩケーブル４ａ、４ｂ、４ｃ、４ｄの長さを検出する事が可能である。また、様々な解像度情報が記録されている記録ＩＣ８はＣＰＵ９に接続されておりその情報はＣＰＵ９によりセンサー１９からの情報で選択される。
ＣＰＵ９は入力信号制御ＩＣ５を制御し、各画像出力装置のＰＣである２ａ、２ｂ、２ｃ、２ｄ、に内蔵された３ａ、３ｂ、３ｃ、３ｄの画像出力装置ＩＣから出力される画像の解像度を変更可能である。
【００４４】
１０は高圧水銀ランプで光をプリズム装置１１に向けて送る。１１はプリズム装置であり高圧水銀ランプ１０からの光を三原色である赤、青、緑に分解し、それぞれ赤色用映像パネル１２、青色用映像パネル１３、緑色用映像パネル１４に送る。プリズム装置１１は、前記、各色用映像パネルからの反射光を合成しレンズ１５に送る。レンズ１５はプリズムユニット１１から送られた光を投射装置１より、図示していない投射目標のスクリーンに投射する。
【００４５】
各色の液晶パネルの映像を投射するためには高圧水銀ランプ１０を発光させる必要があり、そのためにバラスト装置１６は外部電源入力１７から電源を供給してもらいランプ１０を点灯させるための高電圧を作り出す。画像処理ＩＣ７で処理された映像信号は、赤色用映像パネル１２と青色用映像パネル１３と緑色用映像パネル１４に適正な解像度と映像に変換されたのちパネルドライバ１８に送られる。送られた信号はパネルドライバ１８により、赤色用映像パネル１２や緑色用映像パネル１３と青色用映像パネル１４を駆動させる。
【００４６】
次に、本発明である不要輻射低減装置の動作を説明する。
【００４７】
投射装置１に対して画像出力装置の各ＰＣの２ａ、２ｂ、２ｃ、２ｄから各ＤＶＩケーブル４ａ、４ｂ、４ｃ、４ｄを通じて高速の同期信を含む画像信号が伝送される。しかし、４つ入力された高速の同期信を含む画像信号だが、使用するのはそのうちの一つだけである。その上、各、画像出力装置のＰＣである２ａ、２ｂ、２ｃ、２ｄ、に内蔵された３ａ、３ｂ、３ｃ、３ｄの画像出力装置ＩＣから出力は、各ＤＶＩケーブル４ａ、４ｂ、４ｃ、４ｄを通じて高速の同期信を含む画像信号を投射装置１に向けて送り続けられている。そして、通常は投射装置１の入力信号制御ＩＣ５は、投射装置１内の赤色用映像パネル１２や緑色用映像パネル１３と青色用映像パネル１４の性能が最大限発揮される同じ解像度を全ての入力に要求する。しかし、それでは高速の同期信号どうしが干渉を起し不要輻射の増加を招いてしまう。
【００４８】
そこで、ＣＰＵ９は入力制御ＩＣ５から各コネクタに入力されている解像度を取得する。さらにＣＰＵ９はケーブルの長さを測定するセンサー１９の情報から各ＤＶＩケーブルの長さを取得する。そして、ＣＰＵ９は投影をしない入力に対して接続されている記録ＩＣ８の情報の中から、ＤＶＩケーブルの長さと解像度の情報を考慮し不要輻射に影響の無い解像度情報を選びだす。その情報からＣＰＵ９は入力信号制御ＩＣ５を制御して各画像出力装置のＰＣである２ａ、２ｂ、２ｃ、２ｄ、に内蔵された３ａ、３ｂ、３ｃ、３ｄの画像出力装置ＩＣからの出力を変更する。
【００４９】
例えば、使用する入力コネクタ６ａからの入力が２０４８Ｘ１２００ドット（同期信号は１６３．５Ｍｈｚ）とする。入力コネクタ６ｂに接続されるＤＶＩケーブル４ｂが２ｍの長さであれば入力信号制御ＩＣ５は接続されるＤＶＩケーブル４ｂを介して画像出力装置のＰＣ２ｂに内蔵されている画像出力ＩＣ３ｂの解像度を６４０Ｘ４８０ドット（同期信号は２５．１７Ｍｈｚ）とする。
【００５０】
２５．１７Ｍｈｚの効率が最良のアンテナ長は周波数の１／４で２．８９ｍなので、アンテナになる事はない。同様に入力コネクタ６Ｃに接続されるＤＶＩケーブル４ｃが１ｍの長さであれば入力信号制御ＩＣ５は入力コネクタ６ｃに接続されるＤＶＩケーブル４ｃを介して画像出力装置のＰＣ２ｃに内蔵されている画像出力ＩＣ３ｃの解像度を８００Ｘ６００ドット（同期信号は４０Ｍｈｚ）とする。
【００５１】
４０Ｍｈｚの効率が最良のアンテナ長は周波数の１／４で１．８７５ｍなので、アンテナになる事はない。さらに、入力コネクタ６ｄに接続されるＤＶＩケーブル４ｄが１ｍの長さであれば入力信号制御ＩＣ５は入力コネクタ６ｄに接続されるＤＶＩケーブル４ｄを介して画像出力装置のＰＣ２ｄに内蔵されている画像出力ＩＣ３ｄの解像度を１２８０Ｘ１０２４ドット（同期信号は１０８Ｍｈｚ）とする。
【００５２】
６５Ｍｈｚの効率が最良のアンテナ長は周波数の１／４で０．８８ｍなので、アンテナになる事はない。これは、同じ１ｍのケーブルが属されている場合でも同期信号の相互干渉を防ぐため使用していない入力コネクタの解像度は同じにしない。
【００５３】
以上の様に、各入力コネクタ６ａ、６ｂ、６ｃ、６ｄに対して、接続されるケーブルの長のアンテナ効果が高くなる長さを考慮し同期信号の周波数が他の入力と重ならない様にして周波数逓倍に各同期信号の周波数がならない様にする事で不要輻射が酷くなることを抑える。
【００５４】
以上、本発明の好ましい実施形態について説明したが、変更する同期信号の周波数を高速に変更しても低速に変更しても不要輻射の低減効果が得られる場合もある。
【００５５】
図４は、本発明の動作を示すフローチャートである。
【００５６】
投射装置１は各、入力コネクタ６ａ、６ｂ、６ｃ、６ｄにＳ４０１で画像出力装置のＰＣである２ａ、２ｂ、２ｃ、２ｄ、に内蔵された３ａ、３ｂ、３ｃ、３ｄの画像出力装置ＩＣからの出力が各ＤＶＩケーブル４ａ、４ｂ、４ｃ、４ｄを通じ入力されている事を確認するとＳ４０２に移行する。
【００５７】
Ｓ４０２では入力コネクタに接続されているＤＶＩケーブルの数と４ａ、４ｂ、４ｃ、４ｄのどの入力かを判断し、また、入力されている解像度から同期信号の周波数を計測する。そして４０３へ移行しＣＰＵ９はセンサー１９使い接続されているＤＶＩケーブル４ａ、４ｂ、４ｃ、４ｄの長さを測定する。
【００５８】
Ｓ４０５では、ＣＰＵ９により記録ＩＣ８の情報の中から、ケーブル長を考慮した不要輻射に影響の無い解像度情報を選び投影に使用しないコネクタに接続された、画像出力装置のＰＣである２ａ、２ｂ、２ｃ、２ｄ、に内蔵された３ａ、３ｂ、３ｃ、３ｄの画像出力装置ＩＣに向けて、解像度の変更を行う。また、本実施例ではケーブルの長さをセンサーで計測したが、人間による手動でのＣＰＵ９に対しての入力でも問題はない。
【００５９】
以上の動作で、ケーブル間の干渉による不要輻射の増加を防ぐ事が可能になる。
【００６０】
以上、本発明の好ましい実施形態について説明したが、本発明はこれらの実施形態に限定されず、その要旨の範囲内で種々の変形及び変更が可能である。
【符号の説明】
【００６１】
１  不要輻射低減装置を内包した投射装置
２ａ  画像出力ＰＣ  ａ、２ｂ  画像出力ＰＣ  ｂ、２ｃ  画像出力ＰＣ  ｃ、
２ｄ  画像出力ＰＣ  ｄ、３ａ  画像出力ＩＣａ、３ｂ  画像出力ＩＣｂ、
３ｃ  画像出力ＩＣｃ、３ｄ  画像出力ＩＣｄ、４ａ  ＤＶＩケーブルａ、
４ｂ  ＤＶＩケーブルｂ、４ｃ  ＤＶＩケーブルｃ、４ｄ  ＤＶＩケーブルｃ、
５  入力信号制御ＩＣ５、６ａ  入力コネクタａ、６ｂ  入力コネクタｂ、
６ｃ  入力コネクタｃ、６ｄ  入力コネクタｄ、７  画像処理ＩＣ、
８  解像度記録ＩＣ８、９  ＣＰＵ、１０  ランプユニット、
１１  プリズム装置、１２  赤色用映像パネル、１３  青色用映像パネル、
１４  緑色用映像パネル、１５  レンズ、１６  バラスト、
１７  外部電源入力、１８  パネルドライバー、
１９  ケーブル長検出センサー
【図１】
2020031284.tif 000003
【図２】
2020031284.tif 000004
【図３】
2020031284.tif 000005
【図４】
2020031284.tif 000006